(57)【特許請求の範囲】
【請求項１】
躯体開口部に設けられるドア体と、ドア体の上端部に設けられる複数の第一走行ローラと、第一走行ローラを支持してドア体をスライド移動自在に吊持する第一走行レールと、ドア体の吊持部を覆うカバー体と、カバー体内に配設され、ドア体に駆動スプロケットおよび従動スプロケットを介して連動連結される開閉機とを備え、該開閉機の駆動に伴うドア体のスライド移動で開口部の開閉がなされる引き戸式ドア装置において、前記開閉機および第一走行レールは、開閉機の下方に第一走行レールが位置する状態で、開口部上方の躯体における屋内外方向一方の面に該面から屋内外方向一方側に突出する状態で固定され、駆動スプロケットおよび従動スプロケットは、開閉機の突出側外方に配設される一方、開口部戸尻側の戸尻側躯体に沿って設けられ、戸尻側躯体とともに戸袋を構成する保護パネルを、該保護パネルの戸先部分とドア体の戸先部分とがすれ違い可能となる状態でドア体の開閉方向にスライド移動自在に設けると共に、保護パネルは、下端部に戸車が設けられ、上端部に水平方向に回転する複数の第二走行ローラが設けられ、該第二走行ローラが移動自在に走行する第二走行レールは、前記カバー体内における駆動スプロケットおよび従動スプロケットの下方のスペースに配設されることを特徴とする引き戸式ドア装置。
【請求項２】
請求項１において、ドア体は、ガラス材を用いて構成されていることを特徴とする引き戸式ドア装置。
【発明の詳細な説明】
【技術分野】
【０００１】
本発明は、商店や公共施設等の建築物の出入り口部等に設けられる引き戸式ドア装置の技術分野に関するものである。
【背景技術】
【０００２】
一般に、引き戸式ドア装置のなかには、躯体開口部に設けられるドア体と、ドア体の上端部に設けられる複数の第一走行ローラと、開口部上方の躯体（無目材）における屋内外方向一方（例えば屋内側）の面に固定され、第一走行ローラを支持してドア体をスライド移動自在に吊持する第一走行レールとを備えて構成し、ドア体がスライド移動することで開口部を開閉するようにしたものが知られている。このようなものでは、開口部上方の躯体にカバー体を設けて、ドア体の走行レールへの吊持部を、カバー体により覆蓋して外部に露出しないようにすることが提唱されている。
【先行技術文献】
【特許文献】
【０００３】
【特許文献１】特開２００６−３２２２３４号公報
【発明の概要】
【発明が解決しようとする課題】
【０００４】
ところで、前記従来のものにおいて、ドア体は屋内外方向一方の空間において剥き出しの状態であるため、ドア体のスライド開閉作動の過程で、戸尻側躯体の近傍に近付いた人や物体がドア体に当接することが想定される。特に、従来のもののように、走行ローラに駆動装置が連動連結され、通行者が躯体開口部に近付いたことの検知で自動的にドア体が開閉作動するように構成したものでは、開閉作動するドア体が人や物体に当接するような前記事態が発生しやすいと考えられる。そこで、戸尻側躯体に沿って保護パネルを設けて、開閉移動するドア体が人や物体に当接するのを防止することが提唱されている。しかるに、このものにおいて、保護パネルを戸尻側躯体に対して固定状に設置した場合では、戸尻側躯体と保護パネルとのあいだ（戸袋内）の隙間に入り込んだゴミ等を取出す等の清掃作業が難しいという問題があるばかりでなく、前記戸尻側躯体を例えばガラス材で形成したものでは、戸尻側躯体の屋内外方向一方側面を払拭清掃することができないという不具合がある。この不具合に対しては、保護パネルを戸尻側端部を枢支点として屋内外方向一方に開放揺動する構成とする、あるいは、ドア体の開閉方向にスライド移動自在な構成とすることで対応できるが、前者のものでは揺動スペースが必要になるため設置環境によっては採用できないという問題がある。また、後者のものでは、保護パネル専用の走行レールを戸袋配設部位となる戸尻側躯体部位から開口部に至る部位に一帯に設ける必要があり、このような走行レールをカバー体に設ける場合に、走行レールが外部に露出するような構成とすると意匠性に劣るばかりでなく、設置環境によっては突出状に配される走行レールが邪魔になって採用できないという問題があり、これらに本発明の解決すべき課題がある。
【課題を解決するための手段】
【０００５】
本発明は、上記の如き実情に鑑みこれらの課題を解決することを目的として創作されたものであって、請求項１の発明は、躯体開口部に設けられるドア体と、ドア体の上端部に設けられる複数の第一走行ローラと、第一走行ローラを支持してドア体をスライド移動自在に吊持する第一走行レールと、ドア体の吊持部を覆うカバー体と、カバー体内に配設され、ドア体に駆動スプロケットおよび従動スプロケットを介して連動連結される開閉機とを備え、該開閉機の駆動に伴うドア体のスライド移動で開口部の開閉がなされる引き戸式ドア装置において、前記開閉機および第一走行レールは、開閉機の下方に第一走行レールが位置する状態で、開口部上方の躯体における屋内外方向一方の面に該面から屋内外方向一方側に突出する状態で固定され、駆動スプロケットおよび従動スプロケットは、開閉機の突出側外方に配設される一方、開口部戸尻側の戸尻側躯体に沿って設けられ、戸尻側躯体とともに戸袋を構成する保護パネルを、該保護パネルの戸先部分とドア体の戸先部分とがすれ違い可能となる状態でドア体の開閉方向にスライド移動自在に設けると共に、保護パネルは、下端部に戸車が設けられ、上端部に水平方向に回転する複数の第二走行ローラが設けられ、該第二走行ローラが移動自在に走行する第二走行レールは、前記カバー体内における駆動スプロケットおよび従動スプロケットの下方のスペースに配設されることを特徴とする引き戸式ドア装置である。
請求項２の発明は、請求項１において、ドア体は、ガラス材を用いて構成されていることを特徴とする引き戸式ドア装置である。
【発明の効果】
【０００６】
請求項１の発明とすることにより、設置箇所を限定することなく開閉移動自在な保護パネル付きの引き戸式ドア装置を設けることができ、しかも、意匠性に優れた保護パネル付きの引き戸式ドア装置となるうえ、既設の引き戸式ドア装置を保護パネル付きに容易に仕様変更できる。
【図面の簡単な説明】
【０００７】
【図１】引き戸式自動ドア装置の屋内側からの正面図である。
【図２】図１の右半部の引き戸式自動ドア装置の要部を説明する一部切欠き拡大正面図である。
【図３】図１における一部を切欠いた横断面図である。
【図４】引き戸式自動ドア装置の構成を説明する縦断面図である。
【図５】図４の要部拡大図である。
【図６】参考図であって、保護パネルが設けられない場合の引き戸式自動ドア装置の要部拡大図である。
【発明を実施するための形態】
【０００８】
以下、本発明の実施の形態について、図面に基づいて説明する。
図面において、１は建築物の開口部に設けられた引き戸式自動ドア装置であって、本実施の形態では、図１に示すように、左右一対の引き戸式自動ドア装置１が左右方向に並設されており、これら各引き戸式自動ドア装置１を構成するドア体２同士は、それぞれ同期し、かつ、左右対称状に左右方向にスライド移動するように構成されている。本実施の形態の開口部は、ガラス材で構成される躯体に囲繞されており、開口部の戸尻側（左右側部位）に隣接し、各ドア体２の戸袋として機能する左右の戸尻側躯体３もそれぞれガラス材を用いて構成されている。そして、各ドア体２は、それぞれ左右の戸尻側躯体３の屋内側に沿ってそれぞれ配されており、後述するように、戸尻側躯体３の屋内側面に沿ってスライド移動することにより、開口部の半部を閉鎖する全閉姿勢と、戸尻側躯体３に並列して開口部を開放する全開姿勢とに変姿するように構成されている。
【０００９】
前記各引き戸式自動ドア装置１のドア体２は、ガラス材の四周を框材２ａにより囲繞される構成となっており、図２に示す開口部右側半部に設けられる引き戸式自動ドア装置１のように、上側框材２ａの左右方向二箇所に位置して一対のローラユニット４が設けられている。これらローラユニット４は、それぞれ支持ブラケット５と、一対のローラ６（本発明の第一走行ローラに相当する）とにより構成されており、支持ブラケット５は上側框材２ａの上端面に固定される固定片５ａと、該固定片５ａから上方に突出し、一対のローラ６がそれぞれ軸承される軸承片５ｂとを備えて構成されている。さらに、戸先側（右側）の支持ブラケット５の軸承片５ｂには、屋内側に突出する連結片５ｃが形成されている。
また、各ローラユニット４の軸承片５ｂに軸承される一対のローラ６は、それぞれ軸承片５ｂから屋外側に向けて突出する支軸６ａに回転自在に軸承されており、上下方向において回転するように構成されており、外周面には凹部６ｂが形成されている。
【００１０】
一方、開口部、および、戸尻側躯体３の上部を構成する躯体側部材は、本実施の形態では、戸尻側躯体３を構成するガラス材と、該戸尻側躯体３および開口部上方の躯体を構成するガラス材とを連結する金属製の枠体（無目）７により構成されている。ここで、本実施の形態の枠体７は、左右一対の引き戸式自動ドア装置１の戸袋となる左右の戸尻側躯体３上部を含むこれら対向間一帯に設けられるよう左右方向長尺状に形成されている。そして、前記枠体７の屋内側片７ａに、左右の引き戸式自動ドア装置１用の第一走行レール８が左右方向に並列して設けられている。前記第一走行レール８は、枠体屋内側片７ａに固定される固定片８ａと、該固定片８ａから屋内側に突出する突出片８ｂとにより構成されており、該突出片８ｂの突出端部に上方に膨出するレール片８ｃが形成されている。そして、第一走行レール８のレール片８ｃに前記ローラユニット４の各ローラ６外周面の凹部６ｂを上側から外嵌せしめることにより、それぞれのローラ６がレール片８ｃに対して抜止め状に支持され、これによって、ドア体２は、第一走行レール８にスライド移動自在に吊持され、戸尻側躯体３の屋内側面に沿って開口部を開閉移動するように構成されている。
この吊持状態において、ドア体２の上側框材２ａの上端部が枠体７の下端部よりも上方に位置していて、上側框材２ａとローラユニット４との連結部であるドア体２の吊持部が屋外側から目視できないように構成されている。
さらに、２ｂはドア体２の下側框材２ａの下端面から下方に向けて突出配設される振れ止め体であって、該振れ止め体２ｂは、下端部が床面に埋設されたガイド溝部Ｇにスライド移動自在に嵌入するように構成されている。また、２ｃはドア体２の全閉姿勢でドア体２を施錠する施錠具である。
【００１１】
さらに、前記枠体屋内側片７ａの左右両端部であって、各ドア体２の戸尻側部位には、駆動装置を構成するべく電動モータを備えた開閉機９がそれぞれ固定されている。前記各開閉機９は、屋内側に向けて突出する出力軸に駆動スプロケット９ａが連動連結されている。さらに、枠体７の左右方向中間部であって、全閉姿勢の各ドア体２の戸先上方に位置して従動スプロケット９ｂがそれぞれ軸承されており、それぞれ対応する駆動スプロケット９ａと従動スプロケット９ｂとのあいだに動力伝導体（例えば作動チエン）９ｃが懸回されている。そして、前記各動力伝動体９ｃは、各ドア体２の戸先側に位置するローラユニット４の連結片５ｃにそれぞれ連動連結されている。そして、左右の開閉機９の駆動に伴う対応する駆動、従動スプロケット９ａ、９ｂの回転により、動力伝動体９ｃが左右方向に変位するように構成されており、該動力電動体９ｃの変位に追随する状態で戸先側のローラユニット４が強制的に移動するように構成されている。これによって、開口部上方の屋内外（枠体７の屋外側面、および、後述するカバー体Ｃの屋内側面）に設けられたセンサＤからの信号を受けて各開閉機９が駆動した場合に、各ドア体２が互いに同期し、かつ、左右対称となる状態で、第一走行レール８に沿ってスライド移動して開口部の開閉をするように構成されている。
ここで、駆動、従動スプロケット９ａ、９ｂは、ドア体２のローラユニット４と第一走行レール８との吊持部よりも屋内側に偏寄して配設されていて、図４、５に示すように、駆動、従動スプロケット９ａ、９ｂの直下であって、ドア体２の吊持部の屋内側部位は空いたスペースとなっている。
【００１２】
１０は本発明が実施された保護パネルであって、該保護パネル１０は、左右の戸尻側躯体３に沿って（対向して）それぞれ設けられているが、これら保護パネル１０は、各ドア体２の屋内側であって、前記駆動、従動スプロケット９ａ、９ｂ配設部位の下方部位に位置してそれぞれ設けられるように構成されている。そして、各保護パネル１０は屋内外方向に対向する戸尻側躯体３とともにドア体１の戸袋として機能するように構成されており、ドア体２が開放方向にスライド移動して全開姿勢となることに伴い、ドア体２が戸尻側躯体３と保護パネル１０との間に引込まれるように構成されている。
前記保護パネル１０は、ガラス材の四周を框材１０ａにより囲繞される構成となっている。そして、保護パネル１０は、ドア体２の開閉方向にスライド移動自在となるよう、上側の框材１０ａの左右方向二箇所に本発明の第二走行ローラ１１が設けられている。これら第二走行ローラ１１は上側框材１０ａの上端面から上方に突出する支軸１１ａに回転自在に軸承されていて、水平方向において回転するように構成されている。
【００１３】
一方、Ｃは枠体屋内側片７ａを屋内側から覆うカバー体であって、本実施の形態のカバー体Ｃは、主、副カバー体１２、１３により構成されている。これら主、副カバー体１２、１３はそれぞれ枠体７と同様に左右方向長尺状に形成されている。そして、主カバー体１２は、枠体７の屋内側片７ａに設けられる第一走行レール８、開閉機９等の駆動装置配設部を上方から覆蓋する上側覆蓋片１２ａと、該上側覆蓋片１２ａの屋内側端縁から下方に向けて延出され、第一走行レール８と開閉機９等の駆動装置、さらには、ドア体２の上側框材２ａとローラユニット４との連結部であるドア体２の吊持部とを屋内側から覆蓋する主屋内側覆蓋片１２ｂとを備えて構成されており、前記各部材がカバー体１２に覆われて外部に露出することがないように構成されている。
そして、主カバー体１２は、上側覆蓋片１２ａを枠体７側の部材に固定することにより躯体側部材（枠体７）に一体化されるが、本実施の形態では、枠体屋内側片７ａに固定される第一走行レール８の上端縁部に、屋内側に向けてカバー体支持片８ｄが一体形成されており、該カバー体支持片８ｄの上面に上側覆蓋片１２ａを宛てがって螺着等の一体化手段を実施することにより、上側覆蓋片１２ａがカバー体支持片８ｄに固定され、主カバー体１２の躯体（枠体７）への一体化がなされている。
【００１４】
前記主カバー体１２の主屋内側覆蓋片１２ｂは駆動、従動スプロケット９ａ、９ｂに近接して配され、かつ、枠体７の屋内側片７ａに平行状に設けられている。そして、主屋内側覆蓋片１２ｂの下端部であって、ドア体２の吊持部の屋内側部位は屋外側に向けて段差状に折曲されて、主屋内側覆蓋片１２ｂの下端縁から屋外側に延出する支持受け片１２ｃと、該支持受け片１２ｃの屋外側端縁から下方に延出し、ドア体２の吊持部に近接対向する屋外側レール片１２ｄとが形成されている。これら支持受け片１２ｃと屋外側レール片１２ｄとは、駆動、従動スプロケット９ａ、９ｂの下方に形成される空いたスペースを迂回するように折曲することにより空いたスペースを屋内側に露出させるように構成されている。そして、前記屋内側に露出する空いたスペースを屋内側から覆うように副カバー体１３を設けることにより、駆動、従動スプロケット９ａ、９ｂの下方部位に、ドア体２の吊持部とカバー体Ｃ（副カバー体１３）とのあいだに屋内外方向の隙間が形成され、該隙間を、保護パネル１０の第二走行ローラ１１が走行するためのレール用スペースＳとして用いるように構成されている。
【００１５】
つまり、前記副カバー体１３は、取付け凹部１２ｃの支持受け片１２ｄに下側から突当てられる支持片１３ａと、該支持片１３ａの屋内側端縁部から下方に延出し、主カバー体１２の主屋内側覆蓋片１２ｂと屋内外方向同位置において連続し、かつ、屋外側レール片１２ｄに対向する副屋内側覆蓋片１３ｂとを備えて構成されている。そして、副カバー体１３は、支持片１３ａを支持受け片１２ｃに下側から突当てて、下方から螺入される螺子１３ｃを緊締することにより、主カバー体１２に一体化されるように構成されている。この主、副カバー体１２、１３の一体化状態において、前記駆動、従動スプロケット９ａ、９ｂの下方の空いたスペースが、主カバー体１２側の屋外側レール片１２ｄと副カバー体１３側の支持片１３ａと副屋内側覆蓋片１３ｂとにより下方が開放された状態で囲繞され、該囲繞されたスペースがレール用スペースＳに設定されている。
【００１６】
そして、このレール用スペースＳに、保護パネル１０の上側框材１０ａの上端部を嵌入したとき、上端面から突出する第二走行ローラ１１の外周面が、屋外側レール片１２ｄとこれに対向する副屋内側覆蓋片１３ｂとの対向面間の上方部を転動面として転動走行するように構成されている。これによって、保護パネル１０は、ドア体２の屋内側の駆動、従動スプロケット９ａ、９ｂの下方に設けられ、レール用スペースＳの上方部位となる屋外側レール片１２ｄと副屋内側覆蓋片１３ｂと（主、副カバー体１２、１３の屋内外方向に対向する対向片に相当する）の上部対向面を第二走行レール１４としてスライド移動自在となるように構成されている。
このように構成される第二走行レール１４は、左右の戸尻側躯体３から開口部の上方にわたる枠体７の左右方向一帯を覆蓋するカバー体Ｃ（主、副カバー体１２、１３）に長尺状に形成されており、各保護パネル１０は、戸尻側躯体３に沿う戸袋姿勢から開口部側に位置して戸袋内を開放する開放姿勢にそれぞれ移動することができるように構成されている。そして、保護パネル１０の開放姿勢では、戸袋内の清掃や、戸尻側躯体３の払拭作業等のメンテナンスを容易に行なうことができるように構成されている。さらに、このものにおいて、第二走行ローラ１１が走行する第二走行レール１４は、主屋内側覆蓋片１３ｂに面一状に配される副屋内側覆蓋片１３ｂの屋外側面に形成されていて、カバー体Ｃ（副カバー体１３）から第二走行レール１４部位が屋内側に突出することがなく、しかも、屋内側から第二走行レール１４を目視することができないように構成することができ、引き戸式自動ドア装置１を設置可能な環境であれば何れの設置環境であっても保護パネル１０を設けることが可能となるうえ、意匠性にも優れた引き戸式自動ドア装置１とすることができるように構成されている。
【００１７】
さらに、第二走行レール１４の屋外側レール片１２ｄとこれに対向する副屋内側覆蓋片１３ｂとの対向面（内側面）には、上下方向中間部に位置してレール用スペースＳ側（内方）に向けて突出する抜止め片１２ｅ、１３ｄが突出形成されていて、第二走行ローラ１１が第二走行レール１４から抜出すことを防止できるように構成されている。また、屋外側レール片１２ｄ屋内側面の上端部には、副カバー体１３の支持片１３ａの屋外側端部１３ｅを係止して、副カバー体１３を主カバー体１２により仮保持するための係止片１２ｆが突出形成されている。これによって、予め躯体側に固定された主カバー体１２に副カバー体１３を一体化して、第二走行レール１４を形成しつつカバー体Ｃの組込みを実施する工程において、主カバー体係止片１２ｆに支持片１３ａを係止させる一方、抜止め片１２ｅ、１３ｄ同士に第二走行ローラ１１を抜止め状に支持させることで、副カバー体１３を主カバー体１２に仮保持されるとともに、保護パネル１０を主、副カバー体１２、１３に仮保持させることができるように構成されている。そしてこの仮保持状態において、保護パネル１０を第二走行レール１４に沿って適宜スライド移動させつつ螺子１３ｃを緊締することにより、カバー体Ｃと保護パネル１０とを組込めるように構成されている。また、前記工程と逆の工程を行なうことで、容易に主カバー体１２から副カバー体１３を取外すことができ、保護パネル１０のメンテナンス（例えば第二走行ローラ１１の交換）等の作業を容易に行なえるように構成されている。
【００１８】
また、保護パネル１０の下側框材１０ａには左右方向二箇所において戸車１０ｂが設けられている。これら戸車１０ｂは、戸尻側躯体３配設部に対向して床面上に固定された凹溝状のガイド体１５にスライド移動自在にガイドされるように構成されている。さらに、保護パネル１０の戸先側框材１０ａの上下端部にはそれぞれフランス落し錠１０ｃが設けられており、通常の使用状態において、フランス落し錠１０ｃが施錠されていて、保護パネル１０を戸袋姿勢に保持し、戸尻側躯体３とともに戸袋としての機能を維持するように構成されている。
そして、戸袋部の清掃を実施するべく保護パネル１０を開口部側にスライド移動する場合では、フランス落し錠１０ｃを解錠し、保護パネル１０を開口部側に押しやることで開放することができるように構成されている。このとき、保護パネル１０は、戸車１０ｂがガイド体１５および開口部を構成する床面を転動し、第二走行ローラ１１が第二走行レール１４である屋外側レール片１２ｄと副屋内側覆蓋片１３ｂとの対向面を転動することにより、軽快に開放操作できるように構成されている。
尚、図中、１０ｄは保護パネル１０の戸先側からドア体２側に向けて設けられる封止材である。
【００１９】
叙述の如く構成された本形態において、引き戸式自動ドア装置１のドア体２は戸尻側躯体３と保護パネル１０とを戸袋として、これら戸尻側躯体３と保護パネル１０との間から引出されたり、引込まれることにより、ドア体２の開閉作動の過程でドア体２が戸尻側躯体３近傍の人や障害物との当接を回避することができる。このものにおいて、保護パネル１０は、第二走行ローラ１１が第二走行レール１４を走行することにより、戸尻側躯体３に沿う戸袋姿勢と開口部側に移動して戸袋内を開放する開放姿勢とに変姿可能となっているが、第二走行レール１４はカバー体Ｃ配設部の左右方向全域に設けられていて、保護パネル１０を戸尻側躯体３に沿う位置から開口部側に移動させることができて、戸袋内の清掃や、戸尻側躯体３の屋内側面の払拭作業等を容易に行なうことができる。しかも、第二走行レール１４は、駆動装置を構成する駆動、従動スプロケット９ａ、９ｂ配設部の下方の空いたスペースであって、ドア体２の吊持部とカバー体Ｃとの間に形成される屋内外方向の隙間（レール用スペースＳ）を利用して、副屋内側覆蓋片１３ｂの屋外側面に設ける構成としたので、主、副屋内側覆蓋片１２ｂ、１３ｂが面一状となって、カバー体Ｃの屋内側部位に突出部を形成することがなく、保護パネル１０付きの引き戸式自動ドア装置１を設置するための設置条件（環境）が限定されるような不具合を回避できる。そのうえ、第二走行レール１４はカバー体Ｃにより覆われた状態で形成されるので屋内側から目視されることがなく、意匠性にも優れた引き戸式自動ドア装置１とすることができる。
【００２０】
さらに、このものでは、ドア体２の吊持部とカバー体Ｃとの間に形成されるレール用スペースＳに第二走行レール１４が設けられる構成となっている。この結果、図６に示すように、保護パネルが設けられない既存の引き戸式自動ドア装置１６において、駆動装置１７とドア体１８の吊持部とを覆うカバー体１９が、ドア体１８の吊持部とのあいだに屋内外方向の隙間が形成されているものでは、カバー体１９を取外すことにより、前述の主、副カバー体１２、１３と保護パネル１０とを組込むことが可能であり、これによって、保護パネルのない既存の引き戸式自動ドア装置１６を、前記意匠性のよい保護パネル付きの引き戸式自動ドア装置に容易に仕様変更することができる。
【００２１】
このように、本発明が実施されたものにあっては、保護パネル１０をドア体２の開閉方向にスライド移動自在に設ける場合に、保護パネル１０用の第二走行レール１４を、カバー体Ｃに突出部を形成することなく、しかも、カバー体Ｃにより覆蓋された状態で形成することができて、設置環境が限定されず、しかも、意匠性に優れるようにしたものであるが、このものでは、さらに、カバー体Ｃが主、副カバー体１２、１３により構成され、屋内外方向に対向する屋外側レール片１２ｄと副屋内側覆蓋片１３ｂとの対向面が第二走行レール１４を構成しているので、保護パネル１０を組込みつつカバー体Ｃを組込む作業が容易に行なえるうえ、副カバー体１３、保護パネル１０の取外しが容易で、保護パネル１０のメンテナンスを容易に行なえるという利点もある。
【産業上の利用可能性】
【００２２】
本発明は、駆動装置を用いてドア体が自動的に開閉する引き戸式自動ドア装置に保護パネルを設ける場合、既設の引き戸式自動ドア装置に保護パネルを後付けするような場合に利用することができる。
【符号の説明】
【００２３】
１  引き戸式自動ドア装置
２  ドア体
２ａ  框材
３  戸尻側躯体
４  ローラユニット
６  ローラ
７  枠体
８  第一走行レール
８ｃ  レール片
９  開閉機
９ａ  駆動スプロケット
１０  保護パネル
１０ａ  框材
１１  第二走行ローラ
１２  主カバー体
１２ｃ  支持受け片
１２ｄ  屋外側レール片
１３  副カバー体
１３ｂ  副屋内側覆蓋片
１４  第二走行レール
【図１】
0005354824.tif 000002
【図２】
0005354824.tif 000003
【図３】
0005354824.tif 000004
【図４】
0005354824.tif 000005
【図５】
0005354824.tif 000006
【図６】
0005354824.tif 000007